【手続補正書】
【提出日】平成18年1月27日(2006.1.27)
【手続補正１】
【補正対象書類名】明細書
【補正対象項目名】特許請求の範囲
【補正方法】変更
【補正の内容】
【特許請求の範囲】
【請求項１】
圧縮の間にマクロブロック及び量子化パラメータを使用するＹＵＶビデオ画像圧縮システムにおいてカラービデオ画像の圧縮の間のクロマノイズを減少する方法であって、
可変の量子化ステップサイズと、値の増加がより大きな量子化ステップサイズに対応するステップのサイズを表す量子化パラメータ（ＱＰ）と、を使用し、
第１のマクロブロックに対する前記カラービデオ画像のＹ輝度チャネルに対して第１のＱＰ値を使用し、
前記第１のマクロブロックに対する前記カラービデオ画像のＵ及びＶ色チャネルのうちの少なくとも１つに対して第２のＱＰ値を使用し、前記第２のＱＰ値は、前記第１のＱＰ値に対する関係であって、前記Ｕ及びＶ色チャネルのうちの前記少なくとも１つが前記第１のマクロブロックに対する前記Ｙ輝度チャネルより細かい量子化解像度を有するように前記第１のマクロブロックに対する前記第２のＱＰ値が前記第１のＱＰ値より小さくされているという性質を備える関係にのみ依存している方法。
【請求項２】
前記第２のＱＰ値は、前記関係のために前記第１のＱＰ値にバイアス値を適用することにより決定される請求項１の方法。
【請求項３】
更に、前記第１及び第２のＱＰ値を適用し、
前記第１及び第２のＱＰ値を適用した後に、前記カラービデオ画像を圧縮された出力画像に圧縮する請求項１の方法。
【請求項４】
更に、前記第１及び第２のＱＰ値を用いて前記圧縮された出力画像を解凍して、圧縮されていないビデオ画像を取得する請求項３の方法。
【請求項５】
ＹＵＶビデオ画像圧縮システムにおいて、圧縮の間にマクロブロック及び量子化パラメータを使用するとともに、可変の量子化ステップサイズと、値の増加がより大きな量子化ステップサイズに対応するステップのサイズを表す量子化パラメータ（ＱＰ）と、を使用し、
カラービデオ画像の圧縮の間のクロマノイズを減少するステップ及び前記カラービデオ画像の圧縮の間のより高い圧縮を達成するステップのうちの少なくとも１つを選択し、
クロマノイズを減少するステップを選択することに応じて、前記カラービデオ画像の第１のマクロブロックのＹ輝度チャネルに対して第１のＱＰ値を使用し、且つ、前記カラービデオ画像の前記第１のマクロブロックのＵ色チャネル及びＶ色チャネルのうちの少なくとも１つに対して第２のＱＰ値を使用し、前記第２のＱＰ値は、前記Ｕ及びＶ色チャネルのうちの前記少なくとも１つが前記第１のマクロブロックに対する前記Ｙ輝度チャネルより細かい量子化解像度を有するように前記第２のＱＰ値が前記第１のＱＰ値より小さくされているという性質を備える前記第１のＱＰ値に対する第１の関係にのみ依存していて、
一方、より高い圧縮を達成するステップを選択することに応じて、前記カラービデオ画像の前記第１のマクロブロックの前記Ｙ輝度チャネルに対して前記第１のＱＰ値を使用し、且つ、前記カラービデオ画像の前記第１のマクロブロックの前記Ｕ及びＶ色チャネルのうちの前記少なくとも１つに対して前記第２のＱＰ値を使用し、前記第２のＱＰ値は、前記Ｕ及びＶ色チャネルのうちの前記少なくとも１つが前記第１のマクロブロックに対する前記Ｙ輝度チャネルより粗い量子化解像度を有するように前記第２のＱＰ値が前記第１のＱＰ値より大きくされているという性質を備える前記第１のＱＰ値に対する第２の関係にのみ依存している方法。
【請求項６】
前記第２のＱＰ値は、前記関係のうちの少なくとも１つのために前記第１のＱＰ値にバイアス値を適用することにより決定される請求項５の方法。
【請求項７】
更に、前記第１及び第２のＱＰ値を適用し、
前記第１及び第２のＱＰ値を適用した後に、前記カラービデオ画像を圧縮された出力画像に圧縮する請求項５の方法。
【請求項８】
更に、前記第１及び第２のＱＰ値を用いて前記圧縮された出力画像を解凍して、圧縮されていないビデオ画像を取得する請求項７の方法。
【請求項９】
圧縮の間にマクロブロック及び量子化パラメータを使用するＹＵＶビデオ画像圧縮システムにおいて可変の量子化ステップサイズと、値の増加がより大きな量子化ステップサイズに対応するステップのサイズを表す量子化パラメータ（ＱＰ）と、を使用することを含んでなり、カラービデオ画像の圧縮の間のクロマノイズを減少する、コンピュータ可読な媒体上に記憶されたコンピュータプログラムであって、
第１のマクロブロックに対する前記カラービデオ画像のＹ輝度チャネルに対して第１のＱＰ値を使用するステップと、
前記第１のマクロブロックに対する前記カラービデオ画像のＵ及びＶ色チャネルのうちの少なくとも１つに対して第２のＱＰ値を使用するステップであって、前記第２のＱＰ値は、前記第１のＱＰ値に対する関係であって、前記Ｕ及びＶ色チャネルのうちの前記少なくとも１つが前記第１のマクロブロックに対する前記Ｙ輝度チャネルより細かい量子化解像度を有するように前記第１のマクロブロックに対する前記第２のＱＰ値が前記第１のＱＰ値より小さくされているという性質を備える関係にのみ依存しているステップと、
をコンピュータに実行させるための命令を含むコンピュータプログラム。
【請求項１０】
前記第２のＱＰ値は、前記関係のために前記第１のＱＰ値にバイアス値を適用することにより決定される請求項９のコンピュータプログラム。
【請求項１１】
更に、前記第１及び第２のＱＰ値を適用するステップと、
前記第１及び第２のＱＰ値を適用した後に、前記カラービデオ画像を圧縮された出力画像に圧縮するステップと、
をコンピュータに実行させるための命令を含む請求項９のコンピュータプログラム。
【請求項１２】
更に、前記第１及び第２のＱＰ値を用いて前記圧縮された出力画像を解凍して、圧縮されていないビデオ画像を取得するステップをコンピュータに実行させるための命令を含む請求項１１のコンピュータプログラム。
【請求項１３】
コンピュータ可読な媒体上に記憶されたコンピュータプログラムであって、
ＹＵＶビデオ画像圧縮システムにおいて、圧縮の間にマクロブロック及び量子化パラメータを使用するとともに、可変の量子化ステップサイズと、値の増加がより大きな量子化ステップサイズに対応するステップのサイズを表す量子化パラメータ（ＱＰ）と、を使用するステップと、
カラービデオ画像の圧縮の間のクロマノイズを減少すること及び前記カラービデオ画像の圧縮の間のより高い圧縮を達成することのうちの少なくとも１つを選択するステップと、
クロマノイズを減少することを選択することに応じて、前記カラービデオ画像の第１のマクロブロックのＹ輝度チャネルに対して第１のＱＰ値を使用し、且つ、前記カラービデオ画像の前記第１のマクロブロックのＵ色チャネル及びＶ色チャネルのうちの少なくとも１つに対して第２のＱＰ値を使用するステップであって、前記第２のＱＰ値は、前記Ｕ及びＶ色チャネルのうちの前記少なくとも１つが前記第１のマクロブロックに対する前記Ｙ輝度チャネルより細かい量子化解像度を有するように前記第２のＱＰ値が前記第１のＱＰ値より小さくされているという性質を備える前記第１のＱＰ値に対する第１の関係にのみ依存しているステップと、
一方、より高い圧縮を達成することを選択することに応じて、前記カラービデオ画像の前記第１のマクロブロックの前記Ｙ輝度チャネルに対して前記第１のＱＰ値を使用し、且つ、前記カラービデオ画像の前記第１のマクロブロックの前記Ｕ及びＶ色チャネルのうちの少なくとも１つに対して前記第２のＱＰ値を使用するステップであって、前記第２のＱＰ値は、前記Ｕ及びＶ色チャネルのうちの前記少なくとも１つが前記第１のマクロブロックに対する前記Ｙ輝度チャネルより粗い量子化解像度を有するように前記第２のＱＰ値が前記第１のＱＰ値より大きくされているという性質を備える前記第１のＱＰ値に対する第２の関係にのみ依存しているステップと、
をコンピュータに実行させるための命令を含むコンピュータプログラム。
【請求項１４】
前記第２のＱＰ値は、前記関係のうちの少なくとも１つのために前記第１のＱＰ値にバイアス値を適用することにより決定される請求項１３のコンピュータプログラム。
【請求項１５】
更に、前記第１及び第２のＱＰ値を適用するステップと、
前記第１及び第２のＱＰ値を適用した後に、前記カラービデオ画像を圧縮された出力画像に圧縮するステップと、
をコンピュータに実行させるための命令を含む請求項１３のコンピュータプログラム。
【請求項１６】
更に、前記第１及び第２のＱＰ値を用いて前記圧縮された出力画像を解凍して、圧縮されていないビデオ画像を取得するステップをコンピュータに実行させるための命令を含む請求項１５のコンピュータプログラム。
【請求項１７】
圧縮の間にマクロブロック及び量子化パラメータを使用するＹＵＶビデオ画像圧縮システムにおいて可変の量子化ステップサイズと、値の増加がより大きな量子化ステップサイズに対応するステップのサイズを表す量子化パラメータ（ＱＰ）と、を使用し、カラービデオ画像の圧縮の間のクロマノイズを減少する、システムであって、
第１のマクロブロックに対する前記カラービデオ画像のＹ輝度チャネルに対して第１のＱＰ値を使用する手段と、
前記第１のマクロブロックに対する前記カラービデオ画像のＵ及びＶ色チャネルのうちの少なくとも１つに対して第２のＱＰ値を使用する手段であって、前記第２のＱＰ値は、前記第１のＱＰ値に対する関係であって、前記Ｕ及びＶ色チャネルのうちの前記少なくとも１つが前記第１のマクロブロックに対する前記Ｙ輝度チャネルより細かい量子化解像度を有するように前記第２のＱＰ値が前記第１のＱＰ値より小さくされているという性質を備える関係にのみ依存している手段と、
前記カラービデオ画像の圧縮の間に前記第１及び第２のＱＰ値を適用する手段と、
を含むシステム。
【請求項１８】
前記第２のＱＰ値は、前記関係のために前記第１のＱＰ値にバイアス値を適用することにより決定され、
更に、前記カラービデオ画像の圧縮の間に前記第１及び第２のＱＰ値を適用する手段を含む請求項１７のシステム。
【請求項１９】
更に、前記カラービデオ画像の圧縮の間に前記第１及び第２のＱＰ値を適用する手段と、
前記第１及び第２のＱＰ値を適用した後に、前記カラービデオ画像を圧縮された出力画像に圧縮する手段と、
を含む請求項１７のシステム。
【請求項２０】
更に、前記第１及び第２のＱＰ値を用いて前記圧縮された出力画像を解凍して、圧縮されていないビデオ画像を取得する手段を含む請求項１９のシステム。
【請求項２１】
圧縮の間にマクロブロック及び量子化パラメータを使用するとともに、可変の量子化ステップサイズと、値の増加がより大きな量子化ステップサイズに対応するステップのサイズを表す量子化パラメータ（ＱＰ）と、を使用するように構成されたＹＵＶビデオ画像圧縮システムであって、
カラービデオ画像の圧縮の間のクロマノイズを減少すること及び前記カラービデオ画像の圧縮の間のより高い圧縮を達成することのうちの少なくとも１つを選択する手段と、
クロマノイズを減少することを選択することに応じて、前記カラービデオ画像の第１のマクロブロックのＹ輝度チャネルに対して第１のＱＰ値を使用し、且つ、前記カラービデオ画像の前記第１のマクロブロックのＵ色チャネル及びＶ色チャネルのうちの少なくとも１つに対して第２のＱＰ値を使用する手段であって、前記第２のＱＰ値は、前記Ｕ及びＶ色チャネルのうちの前記少なくとも１つが前記第１のマクロブロックに対する前記Ｙ輝度チャネルより細かい量子化解像度を有するように前記第２のＱＰ値が前記第１のＱＰ値より小さくされているという性質を備える前記第１のＱＰ値に対する第１の関係にのみ依存している手段と、
一方、より高い圧縮を達成することを選択することに応じて、前記カラービデオ画像の前記第１のマクロブロックの前記Ｙ輝度チャネルに対して前記第１のＱＰ値を使用し、且つ、前記カラービデオ画像の前記第１のマクロブロックの前記Ｕ及びＶ色チャネルのうちの少なくとも１つに対して前記第２のＱＰ値を使用する手段であって、前記第２のＱＰ値は、前記Ｕ及びＶ色チャネルのうちの前記少なくとも１つが前記第１のマクロブロックに対する前記Ｙ輝度チャネルより粗い量子化解像度を有するように前記第２のＱＰ値が前記第１のＱＰ値より大きくされているという性質を備える前記第１のＱＰ値に対する第２の関係にのみ依存している手段と、
前記カラービデオ画像の圧縮の間に前記第１及び第２のＱＰ値を適用する手段と、
を含むシステム。
【請求項２２】
前記第２のＱＰ値は、前記関係のうちの少なくとも１つのために前記第１のＱＰ値にバイアス値を適用することにより決定され、
更に、前記カラービデオ画像の圧縮の間に前記第１及び第２のＱＰ値を適用する手段を含む請求項２１のシステム。
【請求項２３】
更に、前記カラービデオ画像の圧縮の間に前記第１及び第２のＱＰ値を適用する手段と、
前記第１及び第２のＱＰ値を適用した後に、前記カラービデオ画像を圧縮された出力画像に圧縮する手段と、
を含む請求項２１のシステム。
【請求項２４】
更に、前記第１及び第２のＱＰ値を用いて前記圧縮された出力画像を解凍して、圧縮されていないビデオ画像を取得する手段を含む請求項２３のシステム。
【請求項２５】
前記関係は、複数のＱＰ値を含むルックアップテーブルにおいて定義される請求項１又は請求項５の方法。
【請求項２６】
前記関係は、複数のＱＰ値を含むルックアップテーブルにおいて定義される請求項９又は請求項１３のコンピュータプログラム。
【請求項２７】
前記関係は、複数のＱＰ値を含むルックアップテーブルにおいて定義される請求項１７又は請求項２１のシステム。